(57)【要約】【課題】  より簡易な構成により撮影の瞬間を被撮影者に知らせることができるレンズ付きフイルムを提供する。【解決手段】  合図装置６は、突起１３ａ、スイッチ２０、制御部２１、ＬＥＤから構成される。シャッタボタン１３が外力により下方向に変位すると、突起１３ａがスイッチ２０に接触し、スイッチ２０がオフ状態からオン状態になる。スイッチ２０がオン状態になると、制御部２１によってレンズ付きフイルムユニットの前面に設けられたＬＥＤ２２が点灯する。シャッタボタン１３から外力が取り除かれると、シャッタボタン１３は自らの弾性により元の位置に戻る。突起１３ａはスイッチ２０から離れ、スイッチ２０がオフ状態となり、ＬＥＤが消灯される。【選択図】        図２
2005275133.tif 000002
【特許請求の範囲】
【請求項１】
シャッタボタンが操作されたことに応答してフラッシュ光を発するオン状態とフラッシュ光を発さないオフ状態のどちらかに設定可能なフラッシュ装置を備え、前記シャッタボタンが操作されたことに応答して、ユニット本体に予め装填された写真フイルムへの露光を行うレンズ付きフイルムユニットにおいて、
前記ユニット本体の被写体側から視認可能な位置に設けられた発光部材と、
前記フラッシュ装置がオフ状態に設定されていれば、前記シャッタボタンが操作されたことに応答して前記発光部材を点灯させる点灯手段とを備えたことを特徴とするレンズ付きフイルムユニット。
【請求項２】
前記点灯手段は、前記フラッシュ装置がオン状態に設定されていれば、前記シャッタボタンが操作されても前記発光部材を点灯しないことを特徴とする請求項１記載のレンズ付きフイルムユニット。
【請求項３】
シャッタボタンが操作されたことに応答して、ユニット本体に予め装填された写真フイルムへの露光を行うレンズ付きフイルムユニットにおいて、
前記ユニット本体の外部へ突出する突出位置と、前記ユニット本体内に収納される収納位置との間で変位自在に設けられ、前記収納位置に付勢された変位部材と、
前記シャッタボタンが操作されたことに応答して、前記変位部材を前記収納位置から前記突出位置に変位させる変位機構とを備えたことを特徴とするレンズ付きフイルムユニット。
【請求項４】
シャッタボタンが操作されたことに応答して、ユニット本体に予め装填された写真フイルムへの露光を行うレンズ付きフイルムユニットにおいて、
前記ユニット本体の外周に形成された開口と、
前記ユニット本体内に前記開口と対面するように設けられ、前記開口と対面する面が複数の色で着色されて複数の領域に区画され、前記開口と対面する領域が変化するように変位自在な着色部材と、
前記シャッタボタンが操作されたことに応答して、前記シャッタボタンが操作される前に前記開口と対面している領域とは異なる領域が前記開口と対面するように前記着色部材を変位させる変位機構とを備えたことを特徴とするレンズ付きフイルムユニット。
【発明の詳細な説明】
【技術分野】
【０００１】
本発明は、レンズ付きフイルムユニットに関するものである。
【背景技術】
【０００２】
近年では、レンズ付きフイルムユニット、デジタルカメラ等、種々のカメラが商品化されている。これらのカメラには、光量が十分でない撮影環境のときなどに発光して被写体を照明するストロボ装置が備えられることが多い。ストロボを発光させて撮影する場合には、被撮影者は撮影の瞬間が分かるが、ストロボを発光させないで撮影する場合には、被撮影者は撮影の瞬間が分かりにくいという問題があった。そこで、撮影前または撮影の瞬間に音声を出力することで撮影の瞬間を被撮影者に合図するカメラが知られている（例えば、特許文献１）。
【０００３】
【特許文献１】特開２０００−９８４８６号公報
【発明の開示】
【発明が解決しようとする課題】
【０００４】
しかし、特許文献１に記載されたカメラは、音声出力装置を備える必要があるため製造コストが上昇する。撮影機構等を簡易化したレンズ付きフイルム等の簡易カメラは、安価であることを一つの特徴としているため、このような簡易カメラには音声出力装置を設けることは現実的ではない。
【０００５】
本発明では、より簡易な構成により、ストロボ発光がない場合であっても、撮影の瞬間を被写体側に合図することができるレンズ付きフイルムユニットを提供することを目的とする。
【課題を解決するための手段】
【０００６】
本発明は、シャッタボタンが操作されたことに応答してフラッシュ光を発するオン状態とフラッシュ光を発さないオフ状態のどちらかに設定可能なフラッシュ装置を備え、前記シャッタボタンが操作されたことに応答して、ユニット本体に予め装填された写真フイルムへの露光を行うレンズ付きフイルムユニットに関し、前記ユニット本体の被写体側から視認可能な位置に設けられた発光部材と、前記フラッシュ装置がオフ状態に設定されていれば、前記シャッタボタンが操作されたことに応答して前記発光部材を点灯させる点灯手段とを備えたことを特徴とする。
【０００７】
前記点灯手段は、前記フラッシュ装置がオン状態に設定されていれば、前記シャッタボタンが操作されても前記発光部材を点灯しないことが好ましい。
【０００８】
本発明は、シャッタボタンが操作されたことに応答して、ユニット本体に予め装填された写真フイルムへの露光を行うレンズ付きフイルムユニットに関し、前記ユニット本体の外部へ突出する突出位置と、前記ユニット本体内に収納される収納位置との間で変位自在に設けられ、前記収納位置に付勢された変位部材と、前記シャッタボタンが操作されたことに応答して、前記変位部材を前記収納位置から前記突出位置に変位させる変位機構とを備えたことを特徴とする。
【０００９】
本発明は、シャッタボタンが操作されたことに応答して、ユニット本体に予め装填された写真フイルムへの露光を行うレンズ付きフイルムユニットに関し、前記ユニット本体の外周に形成された開口と、前記ユニット本体内に前記開口と対面するように設けられ、前記開口と対面する面が複数の色で着色されて複数の領域に区画され、前記開口と対面する領域が変化するように変位自在な着色部材と、前記シャッタボタンが操作されたことに応答して、前記シャッタボタンが操作される前に前記開口と対面している領域とは異なる領域が前記開口と対面するように前記着色部材を変位させる変位機構とを備えたことを特徴とする。
【発明の効果】
【００１０】
本発明のレンズ付きフイルムユニットによれば、より簡易な構成により、ストロボ発光がない場合であっても、撮影の瞬間を被撮影者に知らせることができる。
【発明を実施するための最良の形態】
【００１１】
［第１実施形態］
図１に示すように、レンズ付きフイルムユニット２は、ユニット本体３と、このユニット本体３を覆う外装体４とから構成されており、ユニット本体３にはシャッタ機構、フイルム巻上げ機構、ストロボ装置５、合図装置６（図２参照）等の各種撮影機構が内蔵されている。合図装置６は、被撮影者に撮影の瞬間を知らせるものであり、詳細を後述する。また、ユニット本体３には、未露光の写真フイルムと撮影済みの写真フイルムを収納するパトローネとが製造時に装填されている。
【００１２】
ユニット本体３の前面には、撮影レンズ１０、ファインダの対物側窓１１、ストロボ発光部５ａ、ストロボ操作部材１２、合図装置６のＬＥＤ２２、が設けられている。また、ユニット本体３の上面には、シャッタボタン１３、残り撮影可能コマ数を表示するカウンタ窓１４、充電完了表示窓１５が設けられている。充電完了表示窓１５の近傍にはランプが設けられている。このランプは、ストロボ発光のための充電動作が完了すると点灯する。ストロボ装置５は、充電動作が完了していなければ、シャッタボタン９が押圧されてもストロボ光を発しないオフ状態であり、充電動作が完了すれば、シャッタボタン９が押圧されたことに応答してストロボ光を発するオン状態となる。なお、ストロボ発光のための充電動作は、ストロボ操作部材１２を押圧することで開始される。
【００１３】
ユニット本体３の背面には、１コマの撮影ごとに回転操作される巻上げノブ１６の一部が露呈されている。外装体４は、ユニット本体３に張付けられており、各部に設けた開口から撮影レンズ１０、ファインダ１１、カウンタ窓１４、合図装置６のＬＥＤ２２等を外部に露呈されている。
【００１４】
以下に合図装置６の詳細について説明する。図２（Ａ）に示すように、合図装置６は、スイッチ操作部、スイッチ２０、制御部２１、ＬＥＤ２２（図１参照）から構成される。スイッチ操作部は、シャッタボタン１３の下面に設けられた突起１３ａからなる。図２（Ｂ）に示すように、スイッチ２０は、シャッタボタン１３が外力により下方向に変位して突起１３ａに接触されることでオフ状態からオン状態になる。シャッタボタン１３から外力が取り除かれると、シャッタボタン１３は自らの弾性によって、外力を加えられる前の位置に戻り、スイッチ２０はオン状態からオフ状態になる。制御部２１は、ストロボ装置５がオフ状態、かつスイッチ２０がオン状態である場合にＬＥＤ２２を点灯させ、それ以外の場合にＬＥＤ２２を消灯させる。
【００１５】
上記構成による作用について以下に説明する。巻上げノブ１６を回転操作するとフイルム巻上げが行われ撮影が可能な状態となる。撮影前にストロボの充電動作を行わない状態で、撮影レンズ１０を被撮影者に向けてシャッタボタン１３を押圧すると、ＬＥＤ２２が点灯し、ストロボは発光せずに撮影が行われる。被撮影者は、ＬＥＤ２２の点灯により撮影の瞬間を知ることができる。撮影前にストロボの充電動作を完了した状態で、撮影レンズ１０を被撮影者に向けてシャッタボタン１３を押圧すると、ＬＥＤ２２は点灯せず、ストロボが発光して撮影が行われる。被撮影者は、ストロボの発光により撮影の瞬間を知ることができる。このように、被撮影者は、ストロボが発光された場合にはストロボの発光により、ストロボが発光されない場合にはＬＥＤ２２の点灯により、撮影の瞬間を知ることができる。
【００１６】
上記した合図装置６は非常に簡易な構成であり、コストを抑えた製造が可能である。また、合図装置６に用いられるＬＥＤ２２は電源の消費量が僅かである。
【００１７】
なお、上記実施形態では、ストロボが発光する場合にはＬＥＤ２２を点灯しないこととしたが、ストロボを発光させＬＥＤ２２を点灯させて撮影を行ってもよい。また、上記実施形態では、ストロボ装置を用いて説明したが、その他公知の照明装置を用いてもよい。
【００１８】
上記実施形態では、合図装置６のＬＥＤ２２をユニット本体３の前面に設けることとしたが、被写体側から視認可能な位置であればよく、この位置に限られない。例えば、ユニット本体３の側面や上面等でもよい。また、上記実施形態では発光部材にＬＥＤ２２を用いたが、この他の公知の発光部材を用いてもよい。
【００１９】
［第２実施形態］
第１実施形態で説明したレンズ付きフイルムユニット２とは別の構成のレンズ付きフイルムユニットを第２実施形態に示す。第２実施形態の説明では、第１実施形態と同じ構成要素には同一の符号を付し、その説明を省略または簡略化する。
【００２０】
第２実施形態では、第１実施形態で説明した合図装置６の替わりに合図装置３０が用いられる。図３（Ａ）に示すように、合図装置３０は、操作部、スライド部材３１、合図部材（変位部材）３２、板バネ３３によって構成される。操作部は、シャッタボタン３４の下面に設けられた突起３４ａからなる。スライド部材３１は、図３における左側面が傾斜を有するよう形成されている。スライド部材３１は、その中央に左右方向に延びる溝３１ａが形成され、この溝３１ａがユニット本体３に固定された固定軸３５に係合している。合図部材３２は、Ｌ字形状をしており、スライド部材３１の右部に設けられた軸３６を中心として回転する。合図部材３２には上下方向に延びる溝３２ａが形成され、この溝３２ａがユニット本体３に固定された固定軸３７に係合している。板バネ３３は、スライド部材３１を図３における左方向へ付勢している。
【００２１】
図３（Ｂ）に示すように、シャッタボタン３４が外力により下方向に変位すると、突起３４ａがスライド部材３１の傾斜面３１ｂに摺動しながら下方向に変位する。スライド部材３１は、板バネ３３による左方向への付勢に抗し、溝３１ａを固定軸３５に摺動させながら右方向へと変位する。スライド部材３１が右方向へ変位すると、合図部材３２は溝３２ａを固定軸３７に摺動させながら、図３（Ｂ）中、軸３６を中心として反時計回りに回転する。合図部材３２は、ユニット本体３に収納された収納位置からユニット本体３から突出する突出位置へと変位することとなる。シャッタボタン３４から外力が取り除かれると、シャッタボタン３４は自らの弾性により元の位置に戻る。また、スライド部材３１は板バネ３３の付勢力により左方向へと変位し、これに伴い合図部材３２は、図３（Ｂ）中、軸３７を中心として時計回りに回転する。合図部材３２は、突出位置から収納位置へと変位することとなる。
【００２２】
上記構成による作用について以下に説明する。フイルムを巻き上げて撮影可能な状態とし、撮影レンズ１０を被撮影者に向けてシャッタボタン３４を押圧すると、それに連動して合図部材３２が突出位置へと変位し、撮影が行われる。被撮影者は、突出位置へ変位した合図部材３２を視認することにより撮影の瞬間を知ることができる。
【００２３】
上記した合図装置３０は非常に簡易な構成であり、コストを抑えた製造が可能である。また、合図装置３０に用いられる合図部材３２の動作により、撮影における撮影者及び被撮影者の興趣が高められる。
【００２４】
なお、上記実施形態では、合図部材をＬ字形状としたが、この形状に限られずに任意の形状としてよい。また、この合図部材を変位させる変位機構は上記の構成に限られない。
【００２５】
［第３実施形態］
第１、第２実施形態で説明したレンズ付きフイルムユニットとは別の構成のレンズ付きフイルムユニットを第３実施形態に示す。第３実施形態の説明では、第１、第２実施形態と同じ構成要素には同一の符号を付し、その説明を省略または簡略化する。
【００２６】
図４（Ａ）に示すように、合図装置５０は、操作部、スライド部材３１、着色部材５１、板バネ３３によって構成される。着色部材５１は、下部が扇形状をしており、スライド部材３１の右部に設けられた軸３６を中心として回転する。着色部材５１は、上下方向に延びる溝５１ａが形成され、この溝５１ａがユニット本体３に固定された固定軸５２に係合している。着色部材５１の表面の所定の領域５１ｂは外装体４とは違った色に着色されており、所定の領域以外の領域５１ｃは外装体４と同じ色に着色されている。図５に示すように、ユニット本体３及び外装体４の前面には表示窓（開口）５３が設けられており、この表示窓５３から着色部材５１の表面の一部が見えるようになっている。なお、図４（Ａ）、（Ｂ）において、表示窓５３に対面する領域を点線で示している。
【００２７】
図４（Ｂ）に示すように、シャッタボタン３４が外力により下方向に変位すると、スライド部材３１が右方向へと変位する。スライド部材３１が右方向へ変位すると、着色部材５１は溝５１ａを固定軸５２に摺動させながら、図４（Ｂ）中、軸３６を中心として時計回りに回転する。表示窓５３に対面する領域は、領域５１ｃから領域５１ｂとなる。シャッタボタン３４から外力が取り除かれると、シャッタボタン３４は自らの弾性により元の位置に戻る。また、スライド部材３１は左方向へと変位し、これに伴い着色部材５１は、図４（Ｂ）中、反時計回りに回転する。表示窓５３に対面する領域は、領域５１ｂから領域５１ｃとなる。
【００２８】
上記構成による作用について以下に説明する。フイルムを巻き上げて撮影可能な状態とし、撮影レンズ１０を被撮影者に向けてシャッタボタン３４を押圧すると、これに連動して表示窓５３に表示される色が変化し、撮影が行われる。被撮影者は、表示窓５３に表示される色の変化により撮影の瞬間を知ることができる。
【００２９】
上記した合図装置５０は非常に簡易な構成であり、コストを抑えた製造が可能である。      
【００３０】
なお、上記実施形態では、領域５１ｂは外装体４とは違った色に、領域５１ｃは外装体４と同じ色に着色することとしたが、領域５１ｂと領域５１ｃの色が違っていればよく、この着色に限られない。また、着色部材を変位させる変位機構も上記の構成に限られない。
【図面の簡単な説明】
【００３１】
【図１】レンズ付きフイルムユニットの外観斜視図である。
【図２】合図装置の動きを示す説明図である。
【図３】第２実施形態における合図装置の動きを示す説明図である。
【図４】第３実施形態における合図装置の動きを示す説明図である。
【図５】第３実施形態におけるレンズ付きフイルムユニットの外観斜視図である。
【符号の説明】
【００３２】
２  レンズ付きフイルムユニット
３  ユニット本体
５  ストロボ装置
６  合図装置
１３  シャッタボタン
１３ａ  突起
２０  スイッチ
２１  制御部
２２  ＬＥＤ
３０  合図装置（第２実施形態）
３２  合図部材（第２実施形態）
５０  合図装置（第３実施形態）
５１  着色部材（第３実施形態）
５３  表示窓（第３実施形態）
【図１】
2005275133.tif 000003
【図２】
2005275133.tif 000004
【図３】
2005275133.tif 000005
【図４】
2005275133.tif 000006
【図５】
2005275133.tif 000007